(57)【要約】【課題】撮影条件の異なるフレーム画像を順次に撮像し記録した場合に、所望の撮影条件に対応したフレーム画像を適切に動画再生できる動画再生技術を提供する。【解決手段】撮像装置では、動画再生の際のフレームレートに対して３倍のフレームレートで撮影が可能である。この撮像装置における動画撮影時には、例えば主被写体に関する合焦位置に関して３段階にピント条件を変更しつつ撮影動作を繰り返すことで、後ピンの画像ｆ１、ジャスピンの画像ｆ２、前ピンの画像ｆ３、・・のように３種類(ａ〜ｃ系列)のフレーム画像を順次に取得し記録できる。これを再生する場合には、記録されたフレーム画像群からユーザが選択したピント条件のフレーム画像を抽出し、時系列順に再生する。その結果、ユーザが所望する撮影条件に対応したフレーム画像を適切に動画再生できる。【選択図】図１０
2006033033.tif 000002
【特許請求の範囲】
【請求項１】
所定の記録手段に記録されたフレーム画像群に基づき動画再生を行う動画再生方法であって、
(a)前記フレーム画像群の撮影時に変更された２以上の撮影条件から１の撮影条件を選択する選択工程と、
(b)前記フレーム画像群から前記１の撮影条件で撮像されたフレーム画像を抽出し、抽出したフレーム画像を撮像した時系列順に表示手段に表示させて動画再生を行う再生工程と、
を備え、
前記フレーム画像群は、所定のフレームレートに基づくタイミングで前記２以上の撮影条件を順次に変更しつつ撮像された画像群であることを特徴とする動画再生方法。
【請求項２】
請求項１に記載の動画再生方法において、
前記再生工程は、
(b-1)前記フレーム画像群から、前記１の撮影条件に対応した判別情報が付与されたフレーム画像を抽出する抽出工程、
を有し、
前記所定の記録手段に記録されたフレーム画像群の各フレーム画像には、前記２以上の撮影条件を区別する前記判別情報が付与されていることを特徴とする動画再生方法。
【請求項３】
請求項１または請求項２に記載の動画再生方法において、
前記所定のフレームレートは、前記再生工程において動画再生する際のフレームレートに対してＮ倍(Ｎは２以上の整数)のフレームレートであることを特徴とする動画再生方法。
【請求項４】
所定の記録手段に記録されたフレーム画像群に基づき動画再生を行うコンピュータによって実行されることにより、
前記コンピュータに、
(a)前記フレーム画像群の撮影時に変更された２以上の撮影条件から１の撮影条件を選択する選択工程と、
(b)前記フレーム画像群から前記１の撮影条件で撮像されたフレーム画像を抽出し、抽出したフレーム画像を撮像した時系列順に表示手段に表示させて動画再生を行う再生工程と、
を実行させ、
前記フレーム画像群は、所定のフレームレートに基づくタイミングで前記２以上の撮影条件を順次に変更しつつ撮像された画像群であることを特徴とする動画再生プログラム。
【請求項５】
画像表示が可能な表示手段を有する撮像装置であって、
(a)被写体に係るフレーム画像を順次に生成する撮像手段と、
(b)所定のフレームレートに基づくタイミングで２以上の撮影条件を順次に変更しつつ前記撮像手段によりフレーム画像を順次に撮像し、フレーム画像群として所定の記録媒体に記録する撮影制御手段と、
(c)前記２以上の撮影条件から１の撮影条件を選択する選択手段と、
(d)前記フレーム画像群から前記１の撮影条件で撮像されたフレーム画像を抽出し、抽出したフレーム画像を撮像した時系列順に前記表示手段に表示させて動画再生を行う再生制御手段と、
を備えることを特徴とする撮像装置。
【発明の詳細な説明】
【技術分野】
【０００１】
本発明は、記録手段に記録されたフレーム画像群に基づき動画再生を行う動画再生技術に関する。
【背景技術】
【０００２】
撮像装置における動画撮影では、異なる露光時間で撮像される２種類のフレーム画像を交互に取得し、これを合成することにより、原画像と同一のフレームレートでダイナミックレンジが広がった動画を生成する技術がある(特許文献１参照)。
【０００３】
【特許文献１】特開２００３−４６８５７号公報
【発明の開示】
【発明が解決しようとする課題】
【０００４】
しかしながら、上記の特許文献１の技術では、２種類のフレーム画像を合成して合成画像を生成するため、合成画像で構成される動画の再生は可能であるものの、合成元のフレーム画像それぞれで構成される各動画を再生したい場合でも、これに対応できるとは限らない。仮に再生できたとしても、交互に撮像しているため撮影時のフレームレートの半分での動画再生となり、滑らかな動きが損なわれることとなる。
【０００５】
本発明は、上記課題に鑑みてなされたものであり、撮影条件の異なるフレーム画像を順次に撮像し記録した場合に、所望の撮影条件に対応したフレーム画像を適切に動画再生できる動画再生技術を提供することを目的とする。
【課題を解決するための手段】
【０００６】
上記の課題を解決するため、請求項１の発明は、所定の記録手段に記録されたフレーム画像群に基づき動画再生を行う動画再生方法であって、(a)前記フレーム画像群の撮影時に変更された２以上の撮影条件から１の撮影条件を選択する選択工程と、(b)前記フレーム画像群から前記１の撮影条件で撮像されたフレーム画像を抽出し、抽出したフレーム画像を撮像した時系列順に表示手段に表示させて動画再生を行う再生工程とを備え、前記フレーム画像群は、所定のフレームレートに基づくタイミングで前記２以上の撮影条件を順次に変更しつつ撮像された画像群である。
【０００７】
また、請求項２の発明は、請求項１の発明に係る動画再生方法において、前記再生工程は、(b-1)前記フレーム画像群から、前記１の撮影条件に対応した判別情報が付与されたフレーム画像を抽出する抽出工程を有し、前記所定の記録手段に記録されたフレーム画像群の各フレーム画像には、前記２以上の撮影条件を区別する前記判別情報が付与されている。
【０００８】
また、請求項３の発明は、請求項１または請求項２の発明に係る動画再生方法において、前記所定のフレームレートは、前記再生工程において動画再生する際のフレームレートに対してＮ倍(Ｎは２以上の整数)のフレームレートである。
【０００９】
また、請求項４の発明は、所定の記録手段に記録されたフレーム画像群に基づき動画再生を行うコンピュータによって実行されることにより、前記コンピュータに、(a)前記フレーム画像群の撮影時に変更された２以上の撮影条件から１の撮影条件を選択する選択工程と、(b)前記フレーム画像群から前記１の撮影条件で撮像されたフレーム画像を抽出し、抽出したフレーム画像を撮像した時系列順に表示手段に表示させて動画再生を行う再生工程とを実行させ、前記フレーム画像群は、所定のフレームレートに基づくタイミングで前記２以上の撮影条件を順次に変更しつつ撮像された画像群であることを特徴とする動画再生プログラムである。
【００１０】
また、請求項５の発明は、画像表示が可能な表示手段を有する撮像装置であって、(a)被写体に係るフレーム画像を順次に生成する撮像手段と、(b)所定のフレームレートに基づくタイミングで２以上の撮影条件を順次に変更しつつ前記撮像手段によりフレーム画像を順次に撮像し、フレーム画像群として所定の記録媒体に記録する撮影制御手段と、(c)前記２以上の撮影条件から１の撮影条件を選択する選択手段と、(d)前記フレーム画像群から前記１の撮影条件で撮像されたフレーム画像を抽出し、抽出したフレーム画像を撮像した時系列順に前記表示手段に表示させて動画再生を行う再生制御手段とを備える。
【発明の効果】
【００１１】
請求項１ないし請求項５の発明によれば、所定のフレームレートに基づくタイミングで２以上の撮影条件を順次に変更しつつ撮像されたフレーム画像群から、選択された１の撮影条件で撮像されたフレーム画像を抽出し、抽出したフレーム画像を撮像した時系列順に表示手段に表示させて動画再生を行う。その結果、所望の撮影条件に対応したフレーム画像を適切に動画再生できる。
【００１２】
特に、請求項２の発明においては、フレーム画像群から１の撮影条件に対応した判別情報が付与されたフレーム画像を抽出するため、撮影条件が等しいフレーム画像の抽出を簡易に行える。
【００１３】
また、請求項３の発明においては、所定のフレームレートが画再生する際のフレームレートに対してＮ倍(Ｎは２以上の整数)のフレームレートであるため、自然な動画再生を行える。
【発明を実施するための最良の形態】
【００１４】
＜第１実施形態＞
＜撮像装置の要部構成＞
図１は、本発明の第１実施形態に係る撮像装置１Ａを示す斜視図である。また、図２は、撮像装置１Ａの背面図である。なお、図１および図２には方位関係を明確にするために互いに直交するＸ，Ｙ，Ｚの三軸を示している。
【００１５】
撮像装置１Ａは、例えばデジタルカメラとして構成されており、カメラ本体１０の前面には撮影レンズ１１とフラッシュ１２とが設けられている。撮影レンズ１１の奥には、撮影レンズ１１を介して入射する被写体像を光電変換してカラーの画像信号を生成する撮像素子としてのＣ−ＭＯＳセンサ(以下では単に「ＣＭＯＳ」という)２１が設けられている。
【００１６】
撮影レンズ１１は、ズームレンズ１１１とフォーカスレンズ１１２(図３参照)とを含んでおり、これらのレンズを光軸方向に駆動することにより、ＣＭＯＳ２１に結像される被写体像のズーミングや合焦を実現することができる。
【００１７】
撮像装置１Ａの上面には、シャッターボタン１３が配設されている。このシャッターボタン１３は、被写体の撮影を行うときにユーザがその押下操作を行って撮像装置１Ａに撮影指示を与えるもので、半押し状態(Ｓ１状態)と押し込んだ全押し状態(Ｓ２状態)とを検出可能な２段階スイッチとして構成されている。ここで、撮影モードとして動画撮影が設定された状態で全押し状態(Ｓ２状態)とすれば、再度全押し状態とされるまでの期間、動画撮影が行われることとなる。
【００１８】
撮像装置１Ａの側面部には、シャッターボタン１３の押下操作に伴う本撮影動作で得られた画像データを記録するメモリカード９を装着する装着部１４が形成されている。さらに、撮像装置１Ａの側面には、装着部１４からメモリカード９を取り出す際に操作するカード取り出しボタン１５が配設されている。
【００１９】
撮像装置１Ａの背面には、本撮影前に被写体を動画的態様で表示するライブビュー表示や、撮影した画像等の画像表示を行う液晶ディスプレイ(ＬＣＤ：Liquid Crystal Display)１６と、シャッタースピードやズームなど撮像装置１Ａの各種設定状態を変更するための背面操作部１７とが設けられている。
【００２０】
背面操作部１７は、複数の操作ボタン１７１〜１７３で構成されており、例えば操作ボタン１７１に対する操作によってズーム操作や露出設定等を行えるとともに、操作ボタン１７３に対する操作によって動画撮影モードや動画再生モードに設定できる。
【００２１】
図３は、撮像装置１Ａの機能ブロックを示す図である。以下では、動画撮影のシーケンスに沿って、各部の機能を説明する。なお、本実施形態では動画フォーマットとしてＭｏｔｉｏｎＪＰＥＧ形式を用いている。
【００２２】
メインスイッチが操作されカメラが起動された場合には、ズームレンズ１１１およびフォーカスレンズ１１２を通って被写体光像がＣＭＯＳ２１に結像され、被写体に関するアナログ信号のフレーム画像が順次に生成される。そして、このアナログ信号は、信号処理部２２でのＡ／Ｄ変換によりデジタル信号に変換されて、メモリ２３に一次記憶される。
【００２３】
メモリ２３に一次記憶された画像データは、画像処理部２４でγ変換やアパーチャコントロール等の画像処理を行った後、ＬＣＤ１６に表示するための処理が施されてＬＣＤ１６にライブビュー表示される。
【００２４】
このような被写体のライブビュー表示により、構図の確認を行えるとともに、被写体の画像を視認しつつ操作ボタン１７１への操作によって画角を変更できる。この場合、操作ボタン１７１によるズーム操作が制御部２０Ａで検出されると、ズームレンズ１１１を駆動してユーザの所望する画角が設定されることとなる。なお、撮像装置１ＡのＣＭＯＳ２１では、後述のように９０ｆｐｓでの撮像が可能であるが、ライブビュー表示の際にはＬＣＤ１６で３フレームに１回の頻度で画像が更新される。
【００２５】
そして、制御部２０Ａがシャッターボタン１３の半押し(Ｓ１)を検出すると、ＣＭＯＳ２１からの出力に基づきＡＥ演算部２５が撮影画像全体に対して適正な露出量を演算して、シャッタースピードや、信号処理部２２におけるアンプのゲインを設定する。
【００２６】
ＡＥ演算部２６での演算が終了すると、ホワイトバランス(ＷＢ)演算部２７で適正なＷＢ設定値を演算して、画像処理部２４でホワイトバランス補正を行うためのＲゲインおよびＧゲインを設定する。
【００２７】
そして、ＷＢ演算部２７での演算が終了すると、合焦演算部２５において、ＣＭＯＳ２１からの出力に基づきコントラスト方式のＡＦで利用するＡＦ評価値を演算し、この演算結果に基づきフォーカスレンズ１１２の駆動を制御部２０Ａが制御して、被写体に合焦させる。具体的には、フォーカスモータ(不図示)を駆動し、ＣＭＯＳ２１で取得される画像の高周波成分がピークとなるレンズ位置を検出して、この位置にフォーカスレンズ１１２を移動させる。
【００２８】
次に、シャッターボタン１３の全押しが行われると、動画撮影が開始する。動画撮影中、画像処理部２４からの画像データはメモリカード９に保存される。そして、再度全押しが行われると動画撮影は終了する。ライブビュー表示は引き続き行われる。
【００２９】
以上で説明した撮像装置１Ａの動画撮影のシーケンスは、制御部２０Ａが各部を統括的に制御することにより実行される。
【００３０】
制御部２０Ａは、コンピュータとして働くＣＰＵを有するとともに、フラッシュＲＯＭ２０１およびＲＡＭ２０２を備えている。そして、フラッシュＲＯＭ２０１には、撮像装置１Ａを制御するための各種の制御プログラムが格納されており、このうち例えば動画再生プログラムが実行されることにより、９０ｆｐｓの高速フレームレートで一緒に撮影された３種類の動画を個別に再生する動作が撮像装置１Ａで行われることとなる(後で詳述)。
【００３１】
また、制御部２０ＡのフラッシュＲＯＭ２０１には、メモリカード９に記録されている動画再生プログラムなどのプログラムデータを格納することができる。これにより、この格納したプログラムを撮像装置１Ａの動作に反映できる。
【００３２】
以下では、撮像装置１Ａの動画撮影動作および動画再生動作について詳述する。
【００３３】
＜動画撮影動作＞
図４は、撮像装置１Ａにおける動画撮影動作および再生動作を説明するための図である。図４(ａ)〜(ｄ)においては、横軸が時間軸を表している。
【００３４】
撮像装置１ＡのＣＭＯＳ２１では、図４(ａ)に示すように、９０ｆｐｓ、つまりフレーム間の時間間隔が約１１.１ｍｓで動画撮影が可能となっている。すなわち、ＬＣＤ１６に動画を表示する際の表示フレームレート(３０ｆｐｓ)に対して３倍のフレームレートでＣＭＯＳ２１を駆動できる。なお、図４(ａ)中の数字１、２、３、・・・は、フレーム番号(Ｎｏ)で、番号が増加するほど後で撮影されたことを表している。
【００３５】
このようなフレームレートで録画された動画についても、一般的な３０ｆｐｓのフレームレート（フレーム間の時間間隔が約３３.３ｍｓ）で再生すれば人の目で見る限り十分に動画として通用するため、撮像装置１Ａでは、９０ｆｐｓで記録された動画に対して１／３に間引きして再生する。
【００３６】
具体的には、図４(ｂ)に示すように、図４(ａ)に示すフレーム画像群（Ｎｏ.１〜２４)のうち、フレームＮｏが１、４、７・・・、つまり３ｎ−２(ｎは自然数）となる画像を抽出して、動画として再生する。なお、以下では、説明の便宜上、フレームＮｏが１、４、７・・・の画像をａ系列の画像群と呼び、ａ１、ａ２、ａ３・・・とも表示する。
【００３７】
また、図４(ｃ)に示すように、図４(ａ)に示すフレーム画像群（Ｎｏ.１〜２４)のうち、フレームＮｏが２、５、８・・・、つまり３ｎ−１(ｎは自然数）となる画像を抽出して、動画として再生する。なお、以下では、説明の便宜上、フレームＮｏが２、５、８・・・の画像をｂ系列の画像群と呼び、ｂ１、ｂ２、ｂ３・・・とも表示する。
【００３８】
また、図４(ｄ)に示すように、図４(ａ)に示すフレーム画像群（Ｎｏ.１〜２４)のうち、フレームＮｏが３、６、９・・・、つまり３ｎ(ｎは自然数）となる画像を抽出して、動画として再生する。なお、以下では、説明の便宜上、フレームＮｏが３、６、９・・・の画像をｃ系列の画像群と呼び、ｃ１、ｃ２、ｃ３・・・とも表示する。
【００３９】
以上のように撮像装置１Ａでは、１回の撮影でａ〜ｃ系列の画像群を同時に取得できるが、これらａ〜ｃ系列それぞれで異なる撮影条件の撮影を行うことで、３種類の動画の取得が可能となる。例えば、ａ〜ｃ系列の画像群それぞれで、撮影レンズを主被写体（ここでは画像中央に位置する部分とする）に対して、合焦の位置、少し手前に合焦する位置、少し奥に合焦する位置の３段階に変更しつつ撮影することで、３種類の合焦状態の動画が取得できる。具体的には、これら３つの合焦条件を順次に変更しつつＣＭＯＳ２１によりフレーム画像を順次に撮像し、フレーム画像群としてメモリカード(記録媒体)９に記録する。
【００４０】
図５は、３種類の合焦状態を説明するための図である。図５(ａ)〜(ｃ)は、それぞれ３台の自動車Ｐ１〜Ｐ３が走行しているシーンを表しており、撮像装置１Ａからの距離が自動車Ｐ３、Ｐ２、Ｐ１の順番で後ろになるほど大きくなっている。
【００４１】
図５(ａ)に示す画像は、合焦演算部２５で主被写体(合焦被写体)の自動車Ｐ２に対する合焦演算を行った後に、この合焦位置から多少奥に合焦位置を設定して撮影した画像であり、自動車Ｐ１に合焦している。なお、図５(ａ)〜(ｃ)では、自動車Ｐ１〜Ｐ３を描く線幅が太くなるほど合焦状態から外れていることを表現している。
【００４２】
図５(ｂ)に示す画像は、合焦演算部２５で主被写体の自動車Ｐ２に対する合焦演算を行った後に、この合焦位置で撮影した画像であり、画面中央の自動車Ｐ１に合焦している。
【００４３】
図５(ｃ)に示す画像は、合焦演算部２５で主被写体の自動車Ｐ２に対する合焦演算を行った後に、この合焦位置から多少手前に合焦位置を設定して撮影した画像であり、自動車Ｐ３に合焦している。
【００４４】
以上のように、撮像装置１Ａでは、３種類の合焦状態で撮影可能であるため、ユーザは、動画撮影時に合焦状態で撮影したい自動車に正確に合焦しているのか否かを気にしないで撮影に専念できる。
【００４５】
以上のような３種類の合焦状態の動画(フレーム画像群)を取得する具体的な動画撮影動作を、次で説明する。
【００４６】
図６は、撮像装置１Ａにおける動画撮影動作を説明するフローチャートである。本動作は、制御部２０Ａによって実行される。
【００４７】
まず、操作ボタン１７３の操作により、動画撮影モードに設定され、ＬＣＤ１６でプレビュー表示が行われている状態で、ユーザによってシャッターボタン１３が半押しされたかを判定する(ステップＳＴ１)。ここで、シャッターボタン１３が半押しされた場合には、ステップＳＴ２に進み、半押しされていない場合には、ステップＳＴ１を繰り返す。
【００４８】
ステップＳＴ２では、ＡＥ演算部２６でＡＥ演算を行い、適正なＣＭＯＳ２１のシャッタースピードおよび信号処理部２２のゲインを決定する。
【００４９】
ステップＳＴ３では、ＷＢ演算部２７でＷＢ演算を行い、適正なＲゲインおよびＢゲインを決定する。
【００５０】
ステップＳＴ４では、合焦演算部２５で合焦演算を行い、上述したコントラスト方式のＡＦによってフォーカスレンズ１１２を主被写体の合焦位置に移動させる。
【００５１】
ステップＳＴ５では、ユーザによってシャッターボタン１３が全押しされたかを判定する。ここで、シャッターボタン１３が全押しされた場合には、ステップＳＴ６に進み、全押しされていない場合には、ステップＳＴ２に戻る。
【００５２】
ステップＳＴ６では、フォーカスレンズ１１２の合焦位置を奥側に設定する。具体的には、ステップＳＴ４で検出した主被写体の合焦位置から、フォーカスレンズ１１２を合焦位置が奥側に対応する方向に移動させる。
【００５３】
ステップＳＴ７では、ステップＳＴ６で設定された合焦状態で図５(ａ)に示すようなａ系列の画像を撮影する。ここで、ＣＭＯＳ２１で取得された画像は、信号処理部２２で信号処理されメモリ２３に一旦格納された後に、画像処理部２４で画像処理が施されてメモリカード９に記録される。
【００５４】
ステップＳＴ８では、フォーカスレンズ１１２を合焦位置に設定する。具体的には、ステップＳＴ４で検出した主被写体の合焦位置に、フォーカスレンズ１１２を移動させる。
【００５５】
ステップＳＴ９では、主被写体に合焦の状態で図５(ｂ)に示すようなｂ系列の画像を撮影する。ここで、ＣＭＯＳ２１で取得された画像は、信号処理部２２で信号処理されメモリ２３に一旦格納された後に、画像処理部２４で画像処理が施されてメモリカード９に記録される。
【００５６】
ステップＳＴ１０では、フォーカスレンズ１１２の合焦位置を手前側に設定する。具体的には、ステップＳＴ４で検出した主被写体の合焦位置から、フォーカスレンズ１１２の合焦位置が手前側に対応する方向に移動させる。
【００５７】
ステップＳＴ１１では、ステップＳＴ１０で設定された合焦状態で図５(ｃ)に示すようなｃ系列の画像を撮影する。ここで、ＣＭＯＳ２１で取得された画像は、信号処理部２２で信号処理されメモリ２３に一旦格納された後に、画像処理部２４で画像処理が施されてメモリカード９に記録される。
【００５８】
ステップＳＴ１２では、シャッターボタン１３が再度全押しされたかを判定する。ここで、シャッターボタン１３が全押しされた場合には、ステップＳＴ１３に進み、されていない場合には、ステップＳＴ６に戻り、撮影動作を繰り返す。
【００５９】
ステップＳＴ１３では、後処理を行う。具体的には、上記のステップＳＴ７、ＳＴ９、ＳＴ１１の動作によりメモリ２３に未だ残っている画像に対して、画像処理を施し後述するタブの作成を行いメモリカード９に記録する動作を行う。
【００６０】
ステップＳＴ１４では、後処理が終了したかを判定する。ここで、後処理が終了した場合には、ステップＳＴ１に戻り、後処理が終了していない場合には、ステップＳＴ１３を繰り返す。
【００６１】
以上のような動画撮影動作により、図７に示す各フレームの画像が取得できることとなる。すなわち、ステップＳＴ７の動作によってフレームｆ１(ａ１)、ｆ４(ａ２)、ｆ７(ａ３)、ｆ１０(ａ４)のａ系列の画像が時系列順に撮影され、ステップＳＴ９の動作によってフレームｆ２(ｂ１)、ｆ５(ｂ２)、ｆ８(ｂ３)、ｆ１１(ｂ４)のｂ系列の画像が順次に撮影されるとともに、ステップＳＴ１１の動作によってフレームｆ３(ｃ１)、ｆ６(ｃ２)、ｆ９(ｃ３)、ｆ１２(ｃ４)のｃ系列の画像が順次に撮影される。
【００６２】
なお、上記のステップＳＴ６およびステップＳＴ１０においては、主被写体の合焦位置から所定量だけ前後にずらせて設定するのは必須でなく、例えば図５に示す自動車Ｐ１および自動車Ｐ３それぞれに対する合焦演算を撮像の都度行って合焦させるようにしても良い。この場合には、主被写体以外のターゲットに対して合焦精度が向上する。
【００６３】
以上のように撮影されたフレーム画像群に基づく再生動作について、以下で説明する。
【００６４】
＜動画再生動作＞
図８は、メモリカード９に記録されたフレーム画像のデータ配列を示す図である。
【００６５】
記録された各フレームの画像データＤＩには、撮影条件等を示すタグ情報ＴＧが付加されているが、このタグ情報ＴＧの一部ＴＧｐに、画像データＤＩが、どの撮影条件で撮影されたか、つまりどの合焦状態で撮影されたかを示す撮影条件タグが設けられている。
【００６６】
このように３つの撮影条件を区別する判別情報を各フレーム画像に付与することにより、記録された画像データがａ系列、ｂ系列、ｃ系列のいずれの画像に該当するかが判断でき、適切な再生を行える。
【００６７】
図９は、撮像装置１Ａにおける動画再生動作を説明するフローチャートである。本再生動作は、制御部２０ＡでフラッシュＲＯＭ２０１内の動画再生プログラムが実行されることにより実施される。
【００６８】
操作ボタン１７３の操作によって動画再生モードに設定された後に、上記の動画撮影動作において変更された奥側の合焦位置、主被写体の合焦位置、手前側の合焦位置の３つの合焦条件から、ユーザの再生したい１つの合焦条件が選択されたかをチェックする（ステップＳＴ２０）。この合焦状態の選択については、例えばＬＣＤ１６に「奥側」、「主被写体(適性)」および「手前側」の文字表示を行い、背面操作部１７に対するユーザ操作によって、いずれが選択できるようになっている。
【００６９】
ステップＳＴ２１では、カウンタFCntをリセット、具体的にはカウンタFCntに１を代入する。このカウンタFCntは、上述した各系列ａ〜ｃにおけるフレームＮｏに対応しており、例えばカウンタFCnt＝１は、ａ〜ｃ系列の各フレームａ１、ｂ１、ｃ１(図７)に該当する。
【００７０】
ステップＳＴ２２では、現時点が３０ｆｐｓのタイミングであるかを判定する。これは、ＬＣＤ１６での動画再生は３０ｆｐｓのフレームレートで行われるため、このフレームレートのタイミングでフレーム画像の表示更新を行うのに必要な動作となる。ここでは、例えば制御部２０Ａ内のクロックを測定し、３３.３ｍｓ周期ごとにステップＳＴ２３以降の動作を行うとともに、それ以外の時間帯は待機状態とする。
【００７１】
上記のステップＳＴ２２において、３０ｆｐｓのタイミングである場合には、ステップＳＴ２３に進み、３０ｆｐｓのタイミングでない場合には、ステップＳＴ２２を繰り返して待機する。
【００７２】
ステップＳＴ２３では、ステップＳＴ２０でのチェックにより、奥側の合焦位置に設定された合焦状態の動画がユーザによって選択されたかを判定する。ここで、主被写体より奥側で合焦した動画が選択された場合には、ステップＳＴ２５に進み、選択されていない場合には、ステップＳＴ２４に進む。
【００７３】
ステップＳＴ２４では、ステップＳＴ２０でのチェックにより、主被写体の合焦位置に設定された合焦状態の動画がユーザによって選択されたかを判定する。ここで、主被写体に合焦した動画が選択された場合には、ステップＳＴ２６に進み、選択されていない場合には、ステップＳＴ２７に進む。
【００７４】
ステップＳＴ２５では、カウンタFCntの現在値に対応するフレームＮｏを持つａ系列のフレーム画像をＬＣＤ１６に表示する。
【００７５】
ステップＳＴ２６では、カウンタFCntの現在値に対応するフレームＮｏを持つｂ系列のフレーム画像をＬＣＤ１６に表示する。
【００７６】
ステップＳＴ２７では、カウンタFCntの現在値に対応するフレームＮｏを持つｃ系列のフレーム画像をＬＣＤ１６に表示する。
【００７７】
ステップＳＴ２８では、カウンタFCntをインクリメントする。すなわち、カウンタFCntの値を１だけ増加させる。
【００７８】
ステップＳＴ２９では、ユーザが再生を終了するかを判定する。具体的には、操作ボタン１７３がユーザによって操作されて動画再生モードが解除されたか、もしくはＬＣＤ１６に現在表示中のフレーム画像が最終フレームであるかを判断する。ここで、再生を終了しない場合には、ステップＳＴ２２に戻る。
【００７９】
以上の動画再生動作による具体的な再生処理について、次で説明する。
【００８０】
図１０は、再生処理を説明するための図である。なお、本図のフレーム画像ｆ１〜ｆ１２は、図７に示す動画撮影時のフレーム画像ｆ１〜ｆ１２に対応している。
【００８１】
ユーザによって主被写体より奥側の合焦位置に設定された合焦状態の動画が選択された場合には、ａ系列の動画が再生されるが(ステップＳＴ２５)、この場合には図８に示す撮影条件タグＴＧｐにおいて奥側の合焦位置の撮影条件に対応した判別情報が付与されたフレーム画像ｆ１(ａ１)、ｆ４(ａ２)、ｆ７(ａ３)、ｆ１０(ａ４)がフレーム画像群から抽出されて、撮像した時系列順にＬＣＤ１６で再生表示される。
【００８２】
ユーザによって主被写体の合焦位置に設定された合焦状態の動画が選択された場合には、ｂ系列の動画が再生されるが(ステップＳＴ２６)、この場合には図８に示す撮影条件タグＴＧｐにおいて主被写体の合焦位置の撮影条件に対応した判別情報が付与されたフレーム画像ｆ２(ｂ１)、ｆ５(ｂ２)、ｆ８(ｂ３)、ｆ１１(ｂ４)がフレーム画像群から抽出されて、撮像した時系列順にＬＣＤ１６に再生表示される。
【００８３】
ユーザによって主被写体より手前側の合焦位置に設定された合焦状態の動画が選択された場合には、ｃ系列の動画が再生されるが(ステップＳＴ２７)、この場合には図８に示す撮影条件タグＴＧｐにおいて手前側の合焦位置の撮影条件に対応した判別情報が付与されたフレーム画像ｆ３(ｃ１)、ｆ６(ｃ２)、ｆ９(ｃ３)、ｆ１２(ｃ４)がフレーム画像群から抽出されて、撮像した時系列順にＬＣＤ１６に再生表示される。
【００８４】
以上の撮像装置１Ａの動作により、高速フレームレートで合焦状態の変更を行いつつ撮像し記録されたフレーム画像群から、ユーザが選択した合焦状態に対応するフレーム画像を抽出し時系列順に再生するため、ユーザが所望する合焦条件に対応したフレーム画像を適切に動画再生できる。
【００８５】
＜第２実施形態＞
本発明の第２実施形態に係る撮像装置１Ｂは、図１〜図３に示す第１実施形態と類似の構成を有しているが、制御部の構成が異なっている。
【００８６】
すなわち、撮像装置１Ｂの制御部２０Ｂでは、以下で説明する動画撮影動作および画像撮影動作を行うための制御プログラムがＲＯＭ２０１内に格納されている。
【００８７】
＜動画撮影動作＞
撮像装置１Ｂにおいては、第１実施形態の撮像装置１Ａと同様に、図４に示す９０ｆｐｓの動画撮影が可能であり、１回の撮影でａ〜ｃ系列３種類の動画を取得できる。そして、撮像装置１Ｂでは、第１実施形態のように合焦条件を３段階に変更するのはなく、露出条件を３段階に変更する。
【００８８】
図１１は、３種類の露出状態を説明するための図である。図１１(ａ)〜(ｃ)に示す各画像は、逆光の状態で人物ＳＢが撮影されている。
【００８９】
図１１(ａ)に示す画像は、ＡＥ演算部２６でＡＥ演算を行った後に、画像全体に適正な露出状態からアンダー気味に設定して撮影した画像である。
【００９０】
図１１(ｂ)に示す画像は、ＡＥ演算部２６でＡＥ演算を行った後に、画像全体に適正な露出状態(基準パラメータ)に設定して撮影した画像である。
【００９１】
図１１(ｃ)に示す画像は、ＡＥ演算部２６でＡＥ演算を行った後に、画像全体に適正な露出状態からオーバー気味に設定して撮影した画像である。なお、撮影が逆光で行われているため、画面全体に適正な露出状態の図１１(ｂ)に示す画像よりも、オーバー気味で撮影した図１１(ｃ)に示す画像の方が人物ＳＢに対しては適正な露出状態となっている。
【００９２】
以上のように、撮像装置１Ｂでは３種類の露出状態で撮影可能であるため、ユーザは、動画撮影時に人物ＳＢが適正な露出となっているか否かを気にしないで撮影に専念できる。
【００９３】
以上のような３種類の露出状態の動画を取得する動画撮影動作については、第１実施形態と同様の動作が行われる。
【００９４】
これにより、図１２に示す画像ｇ１、ｇ２、ｇ３、・・ｇ１２のように順次にフレーム画像が取得される。そして、これらのフレーム画像には、露出アンダーとなるフレームｇ１(ａ１)、ｇ４(ａ２)、ｇ７(ａ３)、ｇ１０(ａ４)のａ系列の画像と、露出適正となるフレームｇ２(ｂ１)、ｇ５(ｂ２)、ｇ８(ｂ３)、ｇ１１(ｂ４)のｂ系列の画像と、露出オーバーとなるフレームｇ３(ｃ１)、ｇ６(ｃ２)、ｇ９(ｃ３)、ｇ１２(ｃ４)のｃ系列の画像とが含まれている。
【００９５】
以上のように撮影された動画の再生動作について、以下で説明する。
【００９６】
＜動画再生動作＞
図１３は、撮像装置１Ｂにおける動画再生動作を説明するフローチャートである。本動作は、制御部２０ＢでフラッシュＲＯＭ２０１内の動画再生プログラムが実行されることにより実施される。
【００９７】
ステップＳＴ３０〜ＳＴ３２では、図９のフローチャートに示すステップＳＴ２０〜ＳＴ２２と同様の動作を行う。
【００９８】
ステップＳＴ３３では、ステップＳＴ３０でのチェックにより、露出アンダーの動画がユーザによって選択されたかを判定する。ここで、露出アンダーの動画が選択された場合には、ステップＳＴ３５に進み、選択されていない場合には、ステップＳＴ３４に進む。
【００９９】
ステップＳＴ３４では、ステップＳＴ３０でのチェックにより、露出適正の動画がユーザによって選択されたかを判定する。ここで、露出適正の動画が選択された場合には、ステップＳＴ３６に進み、選択されていない場合には、ステップＳＴ３７に進む。
【０１００】
ステップＳＴ３５〜ＳＴ３９では、図９のフローチャートに示すステップＳＴ２５〜ＳＴ２９と同様の動作を行う。
【０１０１】
以上の動画再生動作による具体的な再生処理について、図１２を参照して説明する。
【０１０２】
ユーザによって露出アンダーの動画が選択された場合には、ａ系列の動画が再生されるが(ステップＳＴ３５)、この場合には図８に示す撮影条件タグＴＧｐにおいて露出アンダーの撮影条件に対応した判別情報が付与されたフレーム画像ｇ１(ａ１)、ｇ４(ａ２)、ｇ７(ａ３)、ｇ１０(ａ４)がフレーム画像群から抽出されて、撮像した時系列順にＬＣＤ１６で再生表示される。
【０１０３】
ユーザによって露出適正の動画が選択された場合には、ｂ系列の動画が再生されるが(ステップＳＴ３６)、この場合には図８に示す撮影条件タグＴＧｐにおいて露出適正の撮影条件に対応した判別情報が付与されたフレーム画像ｇ２(ｂ１)、ｇ５(ｂ２)、ｇ８(ｂ３)、ｇ１１(ｂ４)がフレーム画像群から抽出されて、撮像した時系列順にＬＣＤ１６に再生表示される。
【０１０４】
ユーザによって露出オーバーの動画が選択された場合には、ｃ系列の動画が再生されるが(ステップＳＴ３７)、この場合には図８に示す撮影条件タグＴＧｐにおいて露出オーバーの撮影条件に対応した判別情報が付与されたフレーム画像ｇ３(ｃ１)、ｇ６(ｃ２)、ｇ９(ｃ３)、ｇ１２(ｃ４)がフレーム画像群から抽出されて、撮像した時系列順にＬＣＤ１６に再生表示される。
【０１０５】
以上の撮像装置１Ｂの動作により、高速フレームレートで露出条件の変更を行いつつ撮像し記録されたフレーム画像群から、ユーザが選択した露出条件に対応するフレーム画像を抽出し時系列順に再生するため、ユーザが所望する露出条件に対応したフレーム画像を適切に動画再生できる。
【０１０６】
＜第３実施形態＞
本発明の第３実施形態に係る撮像装置１Ｃは、図１〜図３に示す第１実施形態と類似の構成を有しているが、制御部の構成が異なっている。
【０１０７】
すなわち、撮像装置１Ｃの制御部２０Ｃでは、以下で説明する動画撮影動作および画像撮影動作を行うための制御プログラムがＲＯＭ２０１内に格納されている。
【０１０８】
＜動画撮影動作＞
撮像装置１Ｃにおいては、第１実施形態の撮像装置１Ａと同様に、図４に示す９０ｆｐｓの動画撮影が可能であり、１回の撮影でａ〜ｃ系列３種類の動画を取得できる。そして、撮像装置１Ｃでは、第１実施形態のように合焦条件を３段階に変更するのはなく、ズーム条件（撮影レンズ１１に関する焦点距離の条件）を３段階に変更する。
【０１０９】
図１４は、３種類のズーム状態を説明するための図である。図１４(ａ)〜(ｃ)に示す各画像は、人物ＯＢが撮影されている。
【０１１０】
図１４(ａ)に示す画像は、ユーザが設定したズーム値(焦点距離)より、多少テレ側に設定して撮影した画像である。
【０１１１】
図１４(ｂ)に示す画像は、ユーザが設定したズーム値で撮影した画像である。
【０１１２】
図１４(ｃ)に示す画像は、ユーザが設定したズーム値より、多少ワイド側に設定して撮影した画像である。
【０１１３】
以上のように、撮像装置１Ｃでは３種類のズーム状態で撮影可能であるため、ユーザは、動画撮影時に画角を気にしないで撮影に専念できる。
【０１１４】
以上のような３種類のズーム状態の動画を取得する動画撮影動作については、第１実施形態と同様の動作が行われる。
【０１１５】
これにより、図１５に示す画像ｈ１、ｈ２、ｈ３、・・ｈ１２のように順次にフレーム画像が取得される。そして、これらのフレーム画像には、テレ側のズーム状態となるフレームｈ１(ａ１)、ｈ４(ａ２)、ｈ７(ａ３)、ｈ１０(ａ４)のａ系列の画像と、ユーザ指定のズーム状態となるフレームｈ２(ｂ１)、ｈ５(ｂ２)、ｈ８(ｂ３)、ｈ１１(ｂ４)のｂ系列の画像と、ワイド側のズーム状態となるフレームｈ３(ｃ１)、ｈ６(ｃ２)、ｈ９(ｃ３)、ｈ１２(ｃ４)のｃ系列の画像とが含まれている。
【０１１６】
以上のように撮影された動画の再生動作について、以下で説明する。
【０１１７】
＜動画再生動作＞
図１６は、撮像装置１Ｃにおける動画再生動作を説明するフローチャートである。本動作は、制御部２０ＣでフラッシュＲＯＭ２０１内の動画再生プログラムが実行されることにより実施される。
【０１１８】
ステップＳＴ４０〜ＳＴ４２では、図９のフローチャートに示すステップＳＴ２０〜ＳＴ２２と同様の動作を行う。
【０１１９】
ステップＳＴ４３では、ステップＳＴ４０でのチェックにより、テレ側のズーム状態の動画がユーザによって選択されたかを判定する。ここで、テレ側のズーム状態の動画が選択された場合には、ステップＳＴ４５に進み、選択されていない場合には、ステップＳＴ４４に進む。
【０１２０】
ステップＳＴ４４では、ステップＳＴ４０でのチェックにより、ユーザ指定のズーム状態の動画が選択されたかを判定する。ここで、ユーザ指定のズーム状態の動画が選択された場合には、ステップＳＴ４６に進み、選択されていない場合には、ステップＳＴ４７に進む。
【０１２１】
ステップＳＴ４５〜ＳＴ４９では、図９のフローチャートに示すステップＳＴ２５〜ＳＴ２９と同様の動作を行う。
【０１２２】
以上の動画再生動作による具体的な再生処理について、図１５を参照して説明する。
【０１２３】
ユーザによってテレ側のズーム状態の動画が選択された場合には、ａ系列の動画が再生されるが(ステップＳＴ４５)、この場合には図８に示す撮影条件タグＴＧｐにおいてテレ側の撮影条件に対応した判別情報が付与されたフレーム画像ｈ１(ａ１)、ｈ４(ａ２)、ｈ７(ａ３)、ｈ１０(ａ４)がフレーム画像群から抽出されて、撮像した時系列順にＬＣＤ１６で再生表示される。
【０１２４】
ユーザによってユーザ指定のズーム状態の動画が選択された場合には、ｂ系列の動画が再生されるが(ステップＳＴ４６)、この場合には図８に示す撮影条件タグＴＧｐにおいてユーザ指定の撮影条件に対応した判別情報が付与されたフレーム画像ｈ２(ｂ１)、ｈ５(ｂ２)、ｈ８(ｂ３)、ｈ１１(ｂ４)がフレーム画像群から抽出されて、撮像した時系列順にＬＣＤ１６に再生表示される。
【０１２５】
ユーザによってワイド側のズーム状態の動画が選択された場合には、ｃ系列の動画が再生されるが(ステップＳＴ４７)、この場合には図８に示す撮影条件タグＴＧｐにおいてワイド側の撮影条件に対応した判別情報が付与されたフレーム画像ｈ３(ｃ１)、ｈ６(ｃ２)、ｈ９(ｃ３)、ｈ１２(ｃ４)がフレーム画像群から抽出されて、撮像した時系列順にＬＣＤ１６に再生表示される。
【０１２６】
以上の撮像装置１Ａの動作により、高速フレームレートでズーム条件(焦点距離の条件)の変更を行いつつ撮像し記録されたフレーム画像群から、ユーザが選択したズーム条件に対応するフレーム画像を抽出し時系列順に再生するため、ユーザが所望するズーム条件に対応したフレーム画像を適切に動画再生できる。
【０１２７】
＜第４実施形態＞
本発明の第４実施形態に係る撮像装置１Ｄは、図１〜図３に示す第１実施形態と類似の構成を有しているが、制御部の構成が異なっている。
【０１２８】
すなわち、撮像装置１Ｄの制御部２０Ｄでは、以下で説明する動画撮影動作および画像撮影動作を行うための制御プログラムがＲＯＭ２０１内に格納されている。
【０１２９】
＜動画撮影動作＞
撮像装置１Ｄにおいては、第１実施形態の撮像装置１Ａと同様に、図４に示す９０ｆｐｓの動画撮影が可能であり、１回の撮影でａ〜ｃ系列３種類の動画を取得できる。そして、撮像装置１Ｄでは、第１実施形態のように合焦条件を３段階に変更するのはなく、ホワイトバランス(ＷＢ)条件を３段階に変更する。
【０１３０】
図１７は、３種類のＷＢ状態を説明するための図である。図１７(ａ)〜(ｃ)に示す各画像は、夕景が撮影されている。
【０１３１】
図１７(ａ)に示す画像は、ＷＢ演算部２７でＷＢ演算を行った後に、適正なＷＢ制御値より赤気味に設定して撮影した画像である。この場合、ＷＢ制御値が赤気味に設定されているため、鮮やかな夕景が映った画像が取得できる。
【０１３２】
図１７(ｂ)に示す画像は、ＷＢ演算部２７でＷＢ演算を行った後に、適正なＷＢ制御値(基準パラメータ)に設定して撮影した画像である。この場合、ＷＢ演算に基づく適正値で撮影されているものの、夕景として多少物足りない画像が取得される。
【０１３３】
図１７(ｃ)に示す画像は、ＷＢ演算部２７でＷＢ演算を行った後に、適正なＷＢ制御値より青気味に設定して撮影した画像である。この場合、ＷＢ制御値が青気味に設定されているため、夕景らしさが多少欠ける画像が取得される。
【０１３４】
以上のように、撮像装置１Ｄでは３種類のＷＢ状態で撮影可能であるため、ユーザは、動画撮影時に意図するホワイトバランスの状態であるか否かを気にしないで撮影に専念できる。
【０１３５】
以上のような３種類のＷＢ状態の動画を取得する動画撮影動作については、第１実施形態と同様の動作が行われる。
【０１３６】
これにより、図１８に示す画像ｋ１、ｋ２、ｋ３、・・ｋ１２のように順次にフレーム画像が取得される。そして、これらのフレーム画像には、赤気味のＷＢ状態となるフレームｋ１(ａ１)、ｋ４(ａ２)、ｋ７(ａ３)、ｋ１０(ａ４)のａ系列の画像と、適正なＷＢ状態となるフレームｋ２(ｂ１)、ｋ５(ｂ２)、ｋ８(ｂ３)、ｋ１１(ｂ４)のｂ系列の画像と、青気味のＷＢ状態となるフレームｋ３(ｃ１)、ｋ６(ｃ２)、ｋ９(ｃ３)、ｋ１２(ｃ４)のｃ系列の画像とが含まれている。
【０１３７】
以上のように撮影された動画の再生動作について、以下で説明する。
【０１３８】
＜動画再生動作＞
図１９は、撮像装置１Ｄにおける動画再生動作を説明するフローチャートである。本動作は、制御部２０ＤでフラッシュＲＯＭ２０１内の動画再生プログラムが実行されることにより実施される。
【０１３９】
ステップＳＴ５０〜ＳＴ５２では、図９のフローチャートに示すステップＳＴ２０〜ＳＴ２２と同様の動作を行う。
【０１４０】
ステップＳＴ５３では、ステップＳＴ５０でのチェックにより、赤気味のＷＢ状態の動画がユーザによって選択されたかを判定する。ここで、赤気味のＷＢ状態の動画が選択された場合には、ステップＳＴ５５に進み、選択されていない場合には、ステップＳＴ５４に進む。
【０１４１】
ステップＳＴ５４では、ステップＳＴ５０でのチェックにより、適正なＷＢ状態の動画がユーザによって選択されたかを判定する。ここで、適正なＷＢ状態の動画が選択された場合には、ステップＳＴ５６に進み、選択されていない場合には、ステップＳＴ５７に進む。
【０１４２】
ステップＳＴ５５〜ＳＴ５９では、図９のフローチャートに示すステップＳＴ２５〜ＳＴ２９と同様の動作を行う。
【０１４３】
以上の動画再生動作による具体的な再生処理について、図１８を参照して説明する。
【０１４４】
ユーザによって赤気味のＷＢ状態の動画が選択された場合には、ａ系列の動画が再生されるが(ステップＳＴ５５)、この場合には図８に示す撮影条件タグＴＧｐにおいて赤気味の撮影条件に対応した判別情報が付与されたフレーム画像ｋ１(ａ１)、ｋ４(ａ２)、ｋ７(ａ３)、ｋ１０(ａ４)がフレーム画像群から抽出されて、撮像した時系列順にＬＣＤ１６で再生表示される。
【０１４５】
ユーザによって適正なＷＢ状態の動画が選択された場合には、ｂ系列の動画が再生されるが(ステップＳＴ５６)、この場合には図８に示す撮影条件タグＴＧｐにおいてＷＢ適正の撮影条件に対応した判別情報が付与されたフレーム画像ｋ２(ｂ１)、ｋ５(ｂ２)、ｋ８(ｂ３)、ｋ１１(ｂ４)がフレーム画像群から抽出されて、撮像した時系列順にＬＣＤ１６に再生表示される。
【０１４６】
ユーザによって青気味のＷＢ状態の動画が選択された場合には、ｃ系列の動画が再生されるが(ステップＳＴ５７)、この場合には図８に示す撮影条件タグＴＧｐにおいて青気味の撮影条件に対応した判別情報が付与されたフレーム画像ｋ３(ｃ１)、ｋ６(ｃ２)、ｋ９(ｃ３)、ｋ１２(ｃ４)がフレーム画像群から抽出されて、撮像した時系列順にＬＣＤ１６に再生表示される。
【０１４７】
以上の撮像装置１Ｄの動作により、高速フレームレートでＷＢ条件の変更を行いつつ撮像し記録されたフレーム画像群から、ユーザが選択したＷＢ条件に対応するフレーム画像を抽出し時系列順に再生するため、ユーザが所望するＷＢ条件に対応したフレーム画像を適切に動画再生できる。
【０１４８】
＜変形例＞
◎上記の各実施形態においては、動画再生装置として撮像装置を使用するのは必須でなく、次のパーソナルコンピュータ(以下では「パソコン」という)を使用しても良い。
【０１４９】
図２０は、パソコン３の要部構成を説明するための図である。
【０１５０】
パソコン３は、箱状の形状を有する処理部３０と、マウス３１１とキーボード３１２とを有する操作部３１と、例えばＣＲＴで構成される表示部３２とを備えている。この処理部３０の前面には、光ディスクを装着するドライブ３０１と、メモリカード９を装着するドライブ３０２とが設けられている。
【０１５１】
このようなパソコン３では、上記の撮像装置１Ａにおいて９０ｆｐｓの高速フレームレートで撮影されたフレーム画像群を記録したメモリカード９をドライブ３０２に装着し、撮像装置１Ａでの動画再生動作(図９参照)と同様の動作をパソコン３で行うことで、上述した３つの合焦状態の各動画が個別に表示部３２で再生される。
【０１５２】
この再生動作については、処理部３０内のハードディスクに格納される動画再生プログラムが、ＣＰＵで実行されることで実施されることとなる。なお、上記のハードディスクには、ドライブ３０１を介して光ディスクに記録されている動画再生プログラムのデータを格納できるが、これによって格納したプログラムをパソコン３の動作に反映できる。
【０１５３】
◎上記の各実施形態においては、撮影条件として合焦状態、露出の条件、ズーム（撮像光学系に係る焦点距離）の条件、およびホワイトバランスの条件のうち１つの条件を変更するのは必須でなく、これら４種類の撮影条件から複数の条件を組合わせて変更するようにしても良い。
【０１５４】
◎上記の各実施形態においては、撮像素子としてＣＭＯＳを使用するのは必須でなく、ＣＣＤを使用しても良い。
【図面の簡単な説明】
【０１５５】
【図１】本発明の第１実施形態に係る撮像装置１Ａを示す斜視図である。
【図２】撮像装置１Ａの背面図である。
【図３】撮像装置１Ａの機能ブロックを示す図である。
【図４】撮像装置１Ａにおける動画撮影動作および再生動作を説明するための図である。
【図５】３種類の合焦状態を説明するための図である。
【図６】撮像装置１Ａにおける動画撮影動作を説明するフローチャートである。
【図７】動画撮影によって取得されるフレーム画像を説明するための図である。
【図８】メモリカード９に記録されたフレーム画像のデータ配列を示す図である。
【図９】撮像装置１Ａにおける動画再生動作を説明するフローチャートである。
【図１０】再生処理を説明するための図である。
【図１１】本発明の第２実施形態に係る撮像装置１Ｂにおける３種類の露出状態を説明するための図である。
【図１２】動画撮影によって取得されるフレーム画像を説明するための図である。
【図１３】撮像装置１Ｂにおける動画再生動作を説明するフローチャートである。
【図１４】本発明の第３実施形態に係る撮像装置１Ｃにおける３種類のズーム状態を説明するための図である。
【図１５】動画撮影によって取得されるフレーム画像を説明するための図である。
【図１６】撮像装置１Ｃにおける動画再生動作を説明するフローチャートである。
【図１７】本発明の第４実施形態に係る撮像装置１Ｄにおける３種類のＷＢ状態を説明するための図である。
【図１８】動画撮影によって取得されるフレーム画像を説明するための図である。
【図１９】撮像装置１Ｄにおける動画再生動作を説明するフローチャートである。
【図２０】本発明の変形例に係るパソコン３の要部構成を説明するための図である。
【符号の説明】
【０１５６】
１Ａ〜１Ｄ  撮像装置
９  メモリカード
１６  液晶ディスプレイ(ＬＣＤ)
２０Ａ〜２０Ｄ  制御部
２１  ＣＭＯＳ
２２  信号処理部
２３  メモリ
２４  画像処理部
２５  合焦演算部
２６  ＡＥ演算部
２７  ＷＢ演算部
１１１  ズームレンズ
１１２  フォーカスレンズ
１７１〜１７３  操作ボタン
２０１  フラッシュＲＯＭ
ａ１〜ａ４  ａ系列の画像
ｂ１〜ｂ４  ｂ系列の画像
ｃ１〜ｃ４  ｃ系列の画像
ｆ１〜ｆ１２、ｇ１〜ｇ１２、ｈ１〜ｈ１２、ｋ１〜ｋ１２  フレーム画像
ＴＧｐ  撮影条件タグ
【図１】
2006033033.tif 000003
【図２】
2006033033.tif 000004
【図３】
2006033033.tif 000005
【図４】
2006033033.tif 000006
【図５】
2006033033.tif 000007
【図６】
2006033033.tif 000008
【図７】
2006033033.tif 000009
【図８】
2006033033.tif 000010
【図９】
2006033033.tif 000011
【図１０】
2006033033.tif 000012
【図１１】
2006033033.tif 000013
【図１２】
2006033033.tif 000014
【図１３】
2006033033.tif 000015
【図１４】
2006033033.tif 000016
【図１５】
2006033033.tif 000017
【図１６】
2006033033.tif 000018
【図１７】
2006033033.tif 000019
【図１８】
2006033033.tif 000020
【図１９】
2006033033.tif 000021
【図２０】
2006033033.tif 000022